(57)【特許請求の範囲】
【請求項１】
合成樹脂製の基材の表面に剥離コート層を形成し、他面に印刷を施したうえで粘着層を形成して、巻回したロール状粘着テープにおいて、
前記剥離コート層は微粒子と超微粒子を混合したコート材を塗布して形成され、筆記性を持たせたことを特徴とする物流用粘着テープ。
【請求項２】
合成樹脂製の基材の一面に印刷を施し、その上に粘着層を形成して、該粘着層をセパレータシートに貼着した粘着シールにおいて、
前記基材の表面には微粒子と超微粒子を混合したコート材を塗布し、筆記性を持たせたことを特徴とする物流用粘着シール。
【請求項３】
請求項１または２記載の物流用粘着テープまたは物流用粘着シールであって、
前記コート材はシリコンオイルと微粒子と超微粒子と溶剤の比率を１：0.2：0.2：13〜１：0.4：0.4：13で混合したことを特徴とする物流用粘着テープまたは物流用粘着シール。
【発明の詳細な説明】
【０００１】
【発明の属する技術分野】
本発明は、テープの表面に筆記性及び剥離性を有する物流用粘着テープに関するものである。
【０００２】
【従来の技術】
従来、魚や野菜等のスチロール樹脂製の流通箱の目止めや産地表示を行う場合、表面に漁協名や農協名を印刷した粘着テープや粘着シールを流通箱の表面に貼り付けることによって行っていた。商品の物流を完了させた後、かかる粘着テープや粘着シールを剥すことにより、スチロール樹脂製の流通箱を簡単に再利用することができる。
【０００３】
【発明が解決しようとする課題】
しかしながら、物流の過程で、流通箱には重量や輸送先等のメモ書きが必要となる場合があるが、上記従来のような粘着テープや粘着シールは、通常、ビニル、ポリプロピレン、ポリスチレン等からなる基材にシリコン系の剥離コート層を設けており、その表面は鉛筆やボールペンといった通常の筆記具では粘着テープや粘着シールの表面に筆記することができない、という問題点があった。
【０００４】
また、従来のシリコン系の剥離コート層等では、表面の剥離性により、粘着テープを用いて流通箱の蓋の目止めを行う場合に、粘着テープの重なる部分が容易に剥がれてしまうなど、物流上の問題もあった。
【０００５】
もちろん、粘着テープや粘着シールの表面を粗面にしたり、紙や布にして、鉛筆等による筆記性を持たせることもできるが、表面の剥離性が劣化しすぎるため表面に他の粘着テープや粘着シールを重ねて貼った際に、他の粘着テープや粘着シールが剥がれにくく、粘着テープや粘着シールの表面を傷つけてしまうなどの問題が生じる。
【０００６】
特に、ロール状テープではテープの剥離コート層の上に巻回した同じテープの粘着層が重なるが、ロールから引き出す時の利便性を考慮して、粘着性を弱くすると、これを流通箱に貼り付けた際に、剥がれやすくなってしまうなどの問題があった。
【０００７】
そこで、本発明は、テープ表面の剥離コート層の粘着性能と筆記性能とを両立させることができる、物流用粘着テープ及び粘着シールを提供することを目的とする。
【０００８】
【課題を解決するための手段】
上記課題を解決するために本発明に係る物流用粘着テープの構成は、合成樹脂製の基材の表面に剥離コート層を形成し、他面に印刷を施したうえで粘着層を形成して、巻回したロール状粘着テープにおいて、前記剥離コート層は微粒子と超微粒子を混合したコート材を塗布して形成され、筆記性を持たせたことを特徴とする。
【０００９】
また、上記課題を解決するために本発明に係る物流用粘着シールの構成は、合成樹脂製の基材の一面に印刷を施し、その上に粘着層を形成して、該粘着層をセパレータシートに貼着した粘着シールにおいて、前記基材の表面には微粒子と超微粒子を混合したコート材を塗布し、筆記性を持たせたことを特徴とする。
【００１０】
【発明の実施の形態】
[第一実施形態]
本発明に係る物流用粘着テープの実施形態について、図を用いて説明する。図１（ａ）は本実施形態にかかるロール状粘着テープの斜視図、同図（ｂ）は切り出した粘着テープの使用状態の説明図、図２は粘着テープの断面図、図３はコート材の成分比率と筆記性、透明性の関係を示す図である。
【００１１】
図１（ａ）に示すように、本実施形態の物流用粘着テープは、ロール状粘着テープＴであって、帯状の粘着テープ１の粘着層５を粘着テープ１の剥離コート層３の上に巻回すように芯６に巻回したものである。粘着テープ１の表面には、生産者や品名の印刷が施され、これを長めに切り出すことにより、発泡スチロール製の流通箱50の蓋51と本体52との分離層53を密封する目止めシール１Ａや、短く切り出して蓋51の表面に貼り付けて、内容物の表示シール１Ｂとして使用する。た同じ粘着テープ１の粘着層５が重なるように芯６に巻回すことにより形成されている。
【００１２】
図２に示すように、粘着テープ１は、帯状の基材２の表面に剥離コート層３を形成し、他面に印刷層４、粘着層５を形成してなる。
【００１３】
基材２は、ビニル、ポリプロピレン、ポリスチレン等の透明な高分子フィルムにて形成されている。剥離コート層３は、基材２の表面にシリコンオイルと微粒子と超微粒子と溶剤を適量ブレンドしたコート材を塗布して形成されている。微粒子はシリカに代表される１〜２０μの粒径の粒子であり、超微粒子はエアロジルに代表される８ｍμ〜１２ｍμの粒径の粒子である。剥離コート層３をこのように形成したことにより、粘着テープ１の表面に剥離性及び筆記性を持たせることができる。
【００１４】
また、コート材に微粒子と超微粒子を含ませ、表面に適度な剥離性を持たせたことにより、粘着層５の粘着力を強くしても重ねて貼った粘着テープを剥がす際に、下の粘着テープ１の表面を傷つけてしまうことを防止することができる。また、粘着テープを用いて流通箱の蓋の目止めを行う場合に、粘着テープの重なる部分が容易に剥がれてしまうことを防止することができる。
【００１５】
ここで、図３に示すように、コート材のシリコンオイルと微粒子と超微粒子と溶剤の比率をコート材Ａのように、１：0.2：0.2：13とすると、透明性はよいが筆記性が落ちる。また、コート材Ｂのように、１：0.4：0.4：13とすると、筆記性はよいが透明性が落ちる。従って、微粒子と超微粒子の比率は、0.2〜0.4とすることにより、透明性と筆記性の両立を図ることができる。
【００１６】
印刷層４は、漁協名や農協名等の印刷パターンを所定間隔で複数形成している。また印刷層４には印刷が施されない部分が形成され、粘着テープ１を魚や野菜等のスチロール樹脂製の流通箱等に貼り付けた際に、印刷が施されない部分からからかかる流通箱等がのぞくこととなる。粘着層５は、印刷層４上にゴム系粘着剤を塗布することにより形成される。
【００１７】
上述のごとく、ロール状粘着テープＴは、剥離コート層３が適度な剥離性を有するため、非使用時には剥離コート層３と粘着層５が接着しロール形状を維持することができると共に、使用の際にロール状粘着テープ最上面の粘着テープ１の引き剥がしを容易に行うことができる。
【００１８】
[他の実施形態]
次に本発明に係る物流用粘着シールの実施形態について図を用いて説明する。図４は本実施形態にかかる物流用粘着シールの斜視図である。上記第一実施形態と説明の重複する部分については、同一の符号を付して説明を省略する。
【００１９】
図４に示すように、物流用粘着シールである多層ラベルＳは、粘着シール11の剥離コート層３に粘着シール12を貼着して成形され、セパレータシート13に貼着されている。粘着シール11、12は、四角形等の基材２の表面に剥離コート層３を形成し、他面に印刷層４、粘着層５を形成してなる。これにより、粘着シール11、12の表面に剥離性及び筆記性を持たせることができる。
【００２０】
多層ラベルＳは、粘着シール12の印刷層４に透明な部分を設けることなく、全面に印刷を施した場合には、粘着シール11の印刷及び剥離コート層３に筆記した文字等を隠すことができ、くじ等の様々な使用に用いることができる。
【００２１】
また、粘着シール12の印刷層４に透明な部分を設け、粘着シール11の印刷層４が透けるようにした場合には、粘着シール11、12のそれぞれの印刷が重なって見え、意匠的な変化を与えることもできる。
【００２２】
多層ラベルＳは、剥離コート層３が適度な剥離性を有するため、非使用時には剥離コート層３と粘着層５が接着し粘着シール12が粘着シール11から誤って剥がれてしまうことを防止することができ、粘着シール12を粘着シール11から剥がす際に、粘着シール11の表面（剥離コート層３）を傷つけてしまうことを防止することができる。
【００２３】
【発明の効果】
以上説明したように、剥離コート層を微粒子と超微粒子を適量にブレンドした離型剤を塗布して形成し、筆記可能としたことにより、テープ又はシール表面の剥離コート層の粘着性能と筆記性能とを両立させることができる。
【図面の簡単な説明】
【図１】（ａ）第一実施形態にかかるロール状粘着テープの斜視図である。
（ｂ）切り出した粘着テープの使用状態の説明図である。
【図２】粘着テープの断面図である。
【図３】コート材の成分比率と筆記性、透明性の関係を示す図である。
【図４】他の実施形態にかかる物流用粘着シールの斜視図である。
【符号の説明】
Ｓ    …多層ラベル
Ｔ    …ロール状粘着テープ
１    …粘着テープ
２    …基材
３    …剥離コート層
４    …印刷層
５    …粘着層
６    …芯
11    …粘着シール
12    …粘着シール
13    …セパレータシート
【図１】
0004131536.tif 000002
【図２】
0004131536.tif 000003
【図３】
0004131536.tif 000004
【図４】
0004131536.tif 000005